(57)【要約】【課題】下向きに保持したプラスチック等から成るパウチ、特に自己閉鎖性注出口を有するプラスチックパウチの変形を防止し、パウチの内容物の注出開始時から注出終了時迄、毎回一定量の内容物を安定して注出することを可能とするパウチホルダを提供する。【解決手段】パウチの注出口を下向きにしてパウチを保持するパウチ収納部２１及びカバー部３１からなるパウチホルダにおいて、パウチホルダの下方両側部にパウチ本体の側部を押圧する側部押圧手段２５，３５を設ける。【選択図】図４
2007161339.tif 000002
【特許請求の範囲】
【請求項１】
パウチの注出口を下向きにしてパウチを保持するパウチ収納部及びカバー部からなるパウチホルダにおいて、パウチホルダの下方両側部にパウチ本体の側部を押圧する側部押圧手段を設けたことを特徴とするパウチホルダ。
【請求項２】
パウチホルダの中央部にパウチ本体押圧手段を設けたことを特徴とする請求項１に記載のパウチホルダ。
【請求項３】
前記カバー部を前記パウチ収納部に回動可能に連結したことを特徴とする請求項１又は２に記載のパウチホルダ。
【請求項４】
前記パウチ本体押圧手段をパウチホルダのカバー部に設けたことを特徴とする請求項１〜３のいずれかに記載のパウチホルダ。
【請求項５】
前記側部押圧手段をパウチホルダのパウチ収納部及び／又はカバー部に設けたことを特徴とする請求項１〜４のいずれかに記載のパウチホルダ。
【請求項６】
パウチホルダのパウチ収納部にパウチの注出部を押圧する注出部押圧手段を設けたことを特徴とする請求項１〜５のいずれかに記載のパウチホルダ。
【請求項７】
パウチホルダのカバー部にパウチの注出部を押圧する注出手段を設けたことを特徴とする請求項１〜６のいずれかに記載のパウチホルダ。
【請求項８】
前記注出手段をパウチ収納部の注出部押圧手段と対応する位置に設けたことを特徴とする請求項７に記載のパウチホルダ。
【発明の詳細な説明】
【技術分野】
【０００１】
本発明は、注出口を下向きにしてパウチを保持し、パウチ内に収容した液体洗剤、液体石鹸、シャンプー、リンス、消毒液、醤油、ソース、トマトケチャップ等の液状乃至ジェル状の内容物を一定量ずつ注出することができるパウチホルダに関する。
【背景技術】
【０００２】
従来、プラスチックフイルムをヒートシールすることによって構成し、開封した下向きの注出口が自己閉鎖し、注出口の上部を手指や治具で押すと自己閉鎖した注出口が開口して、内容物を一定量注出することができるパウチが知られている。（例えば、特許文献１参照）
【特許文献１】特開平１１−１９３０３９号公報
【０００３】
このような自己閉鎖性注出口を有するパウチを注出口を下向きにして吊下げ保持し、手指で押して一定量の内容物を注出するには、毎回パウチの同じ位置を同じ強さで押すことが必要であるため、内容物の注出性に個人差を生じ易く、常に一定量の内容物を注出することは困難であった。
このような問題点を解決するために、自己閉鎖性注出口を有するパウチを下向きに保持し注出口を開口させる押圧手段を備えたパウチ注出用補助治具や、パウチホルダが種々提案されている。（例えば、特許文献２、３参照）
【特許文献２】特開２００２−３３２０７６号公報
【特許文献３】特開２００５−９６８４７号公報
【０００４】
しかるに、これらの補助治具やパウチホルダ類を使用した場合にも、パウチ内の内容物の減少にともなってパウチ下端部が前方に反り上がる等、パウチの形状が徐々に変化するために、パウチの内容物の注出開始時から注出終了時迄、毎回一定量の内容物を安定して注出することは困難であった。
【発明の開示】
【発明が解決しようとする課題】
【０００５】
したがって、本発明はこれら従来技術の問題点を解消して、下向きに保持したプラスチック等から成るパウチ、特に自己閉鎖性注出口を有するプラスチックパウチの変形を防止し、パウチの内容物の注出開始時から注出終了時迄、毎回一定量の内容物を安定して注出することを可能とするパウチホルダを提供することを目的とする。
【課題を解決するための手段】
【０００６】
本発明では、上記課題を解決するために次の構成１〜８を採用する。
１．パウチの注出口を下向きにしてパウチを保持するパウチ収納部及びカバー部からなるパウチホルダにおいて、パウチホルダの下方両側部にパウチ本体の側部を押圧する側部押圧手段を設けたことを特徴とするパウチホルダ。
２．パウチホルダの中央部にパウチ本体押圧手段を設けたことを特徴とする１に記載のパウチホルダ。
３．前記カバー部を前記パウチ収納部に回動可能に連結したことを特徴とする１又は２に記載のパウチホルダ。
４．前記パウチ本体押圧手段をパウチホルダのカバー部に設けたことを特徴とする１〜３のいずれかに記載のパウチホルダ。
５．前記側部押圧手段をパウチホルダのパウチ収納部及び／又はカバー部に設けたことを特徴とする１〜４のいずれかに記載のパウチホルダ。
６．パウチホルダのパウチ収納部にパウチの注出部を押圧する注出部押圧手段を設けたことを特徴とする１〜５のいずれかに記載のパウチホルダ。
７．パウチホルダのカバー部にパウチの注出部を押圧する注出手段を設けたことを特徴とする１〜６のいずれかに記載のパウチホルダ。
８．前記注出手段をパウチ収納部の注出部押圧手段と対応する位置に設けたことを特徴とする７に記載のパウチホルダ。
【発明の効果】
【０００７】
本発明によれば、パウチの内容物の減少にともなってパウチ下端部が前方に反り上がる等、パウチの押圧位置が変化して注出量が不安定になるのを防止して、パウチの内容物の注出開始時から注出終了時迄、毎回一定量の内容物を安定して注出することが可能となる。
【発明を実施するための最良の形態】
【０００８】
以下、図面に基づいて本発明の好ましい実施の形態について説明するが、以下の具体例は本発明を限定するものではない。
本発明のパウチホルダに使用するパウチとしては特に制限はなく、従来公知のパウチはいずれも使用することができる。好ましいパウチとしては、例えば特許文献１に記載された自己閉鎖性注出口を有するパウチが挙げられる。
【０００９】
図１〜図３はこのような自己閉鎖性注出口を有するパウチの１例を示す図であり、図１は内容物充填前のパウチの斜視図である。また、図２及び図３は図１のパウチに内容物を充填した状態を示す定量室及び注出口の部分拡大模式図であり、図２は注出口が閉じた状態を示す図、図３は注出口が開いた状態を示す図である。図２及び図３において、（Ａ）は定量室及び注出口の断面模式図、（Ｂ）は弁（中央部分）及び注出口における内容物の状態をそれぞれ表す図である。
【００１０】
このパウチ１は、２枚の側壁部材１１及び１２を両側部６、６及び下端部７でヒートシールしたものであり、内容物充填後にパウチの上端部をヒートシールするものである。このパウチ１には、液体収納室２に隣接する定量室３及び定量室３に連通する自己閉鎖性の注出口４が設けられている。液体収納室２と定量室３はフイルム状の弁５により区画されており、弁５の巾方向の上端部８は一方の側壁部材１１にヒートシールにより接合され、弁５の巾方向の下端部９は他方の側壁部材１２にヒートシールにより接合されている。また、弁５の長さ方向の両端部は側壁部材１１及び１２に両側部６、６でヒートシールされている。弁５の下端部９にはその中央部に未シール部１０を設けることによって、液体収納室２と定量室３が連通するように構成されている。
【００１１】
このパウチ１に液状内容物を充填すると、図２にみられるように内容物は液体収納室２から弁５の未シール部１０を通って定量室３に流入する。このときの液体収納室２の内圧をＰｏ、定量室の内圧をＰとするとＰ＜Ｐｏである。また、パウチ２を構成する包材は、注出口４の定量室３との接続部でヒートシール部７に沿って液状内容物の圧力によってＶ字状に折り曲げられ注出口の対向する側壁を密着させるので、注出口４の長さを調整することにより注出口４の先端部を開封した後にも注出口４は自己閉鎖性を有し、液状内容物が流出することはない。
【００１２】
このパウチ１から液状内容物を取り出すには、図３にみられるように注出口４の先端部を開封した後に、手又は治具により定量室３を押圧する。このときＰ＞Ｐｏとなり注出口４の折れがなくなるので、注出口４は開放され液状内容物が注出される。
その際に、液状内容物は定量室３から液体収納室２に逆流しようとするが〔図３（Ｂ）〕、弁５が閉じられた状態となるので内容物の逆流は防止され、定量室３内の内容物は注出口４から全て注出されるので、注出の安定性と優れた定量性を確保することができる。
【００１３】
図４〜図６は、本発明のパウチホルダの１例を示す図であり、図４の（Ａ）はパウチホルダのカバー部を下方に開いた状態を示す正面図であり、（Ｂ）は（Ａ）のＸＸ線による断面図である。また、図５の（Ａ）は、パウチを収納せずにパウチホルダを閉じた状態を示す正面図であり、（Ｂ）は（Ａ）のＹＹ線による断面図である。そして、図６の（Ａ）は、パウチホルダ内にパウチを収納してホルダを閉じた状態を示す正面図であり、（Ｂ）は（Ａ）のＺＺ線による断面図である。
【００１４】
このパウチホルダ２０は、長方形の支持板２２の周辺に４枚の側板２３を立設することによって、プラスチックパウチの注出口を下向きにして保持する箱状のパウチ収納部２１を形成し、該パウチ収納部２１の下端部に回動可能にカバー部３１の一端を連結したものである。
パウチ収納部２１の支持板２２の上部には、パウチ１を下向きに吊下げ保持するために２本のピン２４、２４を設けてある。支持板２２の下方の両側部には、パウチ本体の下方側部を押圧する一対の板状体からなる側部押圧手段２５、２５が設けられ、支持板２２の下方中央部には、上部に傾斜面を有しパウチ１の注出部を背面から押圧する注出部押圧手段２６が設けられている。また、パウチ収納部２１の下端部を構成する側板２３には、パウチ１の注出口４を露出させるための開口２７が設けられている。
【００１５】
長方形の板状体からなるカバー部３１には、パウチ収納部２１を覆うようにカバー部３１を回動させた際に（図５、６参照）、パウチ本体の略中央部を全面的に押圧するように、発泡プラスチック、板バネ等の弾性体により構成されたパウチ本体押圧手段３２が設けられている。また、カバー部３１には、パウチ収納部２１に設けた側部押圧手段２５、２５に対向する位置に、該側部押圧手段２５、２５と共働してパウチ本体の下方側部を押圧する矩形状の側部押圧手段３５、３５が設けられている。さらに、カバー部３１には、パウチ収納部２１に設けた注出部押圧手段２６に対向する位置に、該注出部押圧手段２６と共働してパウチの注出部を押圧することにより、パウチ１の注出口４を解放して内容物を注出する円柱状の注出手段３６が弾性を有する押圧板３７により固定されている。
【００１６】
注出部押圧手段２６の注出手段３６が接触する表面は、平面である必要はなく、適度な曲面である方が内容物の注出量を安定させることができる。特に、円弧の半径が７０〜１００mmの範囲の凸状の表面とすることが適当である。
【００１７】
つぎに、このパウチホルダ２０を使用して自己閉鎖性注出口を有するパウチから内容物を一定量ずつ注出する手順について説明する。
はじめに、パウチ１の注出口４を下向きにしてパウチ１の周縁シール部に設けた孔（図示せず）にパウチ収納部２１の支持板２２の上部に設けた２本のピン２４、２４を挿通し、パウチを吊下げ保持する。つぎに、図６にみられるようにカバー部３１を回動させて、パウチ収納部２１を覆い、パウチ収納部２１の下端部を構成する側板２３に設けた開口２７からパウチ１の注出口４を露出させる。
【００１８】
この注出口４の先端部を開封した後に、カバー部３１に設けた押圧板３７を指で押圧すると、押圧板３７に設けた円柱状の注出手段３６と、パウチ収納部に設けた注出部押圧手段２６の共働作用により、パウチ１の注出口４上部の注出部が前面及び背面から押圧され、図３にみられるように、注出口４が開放されて一定量の内容物が注出される。
そして、パウチ本体が、カバー部３１に設けたパウチ本体押圧手段３２で押圧されるため、パウチ内の内容物量の減少に伴う注出口４からの内容物の注出量変化が防止され、内容物が減少しても注出口４からの一定量の注出が可能となる。
また、パウチ内の内容物量の減少にともなって、パウチ下方部に設けた定量室が前方に反り上がり、その結果、内容物の注出時の押圧位置が変化するが、パウチ１の液体収納室２と定量室３の境界部、或いはその近傍の側方シール部に対応するように、パウチ収納部２１に設けた一対の側部押圧手段２５、２５、及びカバー部３１に設けた側部押圧手段３５、３５の共働作用によって、定量室３の前方への反り上りを防止することができる。
【００１９】
また、これらの側部押圧手段２５、２５及び３５、３５は、パウチ１の液体収納室２と定量室３の境界部、或いはその近傍の側方シール部を適度に押圧することにより、定量室３周辺のパウチを構成するフイルムの張力を適度に保つことができる。そのため、パウチの内容物の減少にともなって、定量室３周辺のパウチを構成するフイルムの張力が低下し、パウチが変形して定量室の膨らみが低下するのを防止する作用を有する。したがって、内容物が減少した場合にも、内容物がスムーズに定量室内に流入することを可能とする。
この例では、側部押圧手段をパウチ収納部及びカバー部の双方に設けたが側部押圧手段をパウチ収納部或いはカバー部の一方のみに設けるようにしてもよい。また、その位置は、パウチの液体収納室と定量室の境界部、或いはその近傍の側方シール部に対応するように設けたが、側方シールの近傍でもよく、その形状は板状、矩形状等任意であり、そのサイズも適宜選択することができる。
【００２０】
図７〜図９は、本発明のパウチホルダの他の例を示す図であり、図７の（Ａ）はパウチホルダのカバー部を下方に開いた状態を示す正面図であり、（Ｂ）は（Ａ）のＸＸ線による断面図、（Ｃ）は（Ａ）のＹＹ線による断面図である。また、図８の（Ａ）は、パウチを収納せずにパウチホルダを閉じた状態を示す正面図であり、（Ｂ）は（Ａ）のＹＹ線による断面図である。そして、図９の（Ａ）は、パウチホルダ内にパウチを収納してホルダを閉じた状態を示す正面図であり、（Ｂ）は（Ａ）のＺＺ線による断面図である。
【００２１】
このパウチホルダ３０は、図４〜図６のパウチホルダ２０において、カバー部３１に設けられる注出手段３６、押圧板３７の変形例を示すものである。
このパウチホルダ３０では、カバー部３１のパウチ収納部２１の注出部押圧手段２６と対応する位置に三角形の貫通孔Ｈを設け、この貫通孔Ｈのパウチ収納部２１側に帯状の押圧板３７を配置したものである。押圧板３７の中央部には、三角形の貫通孔Ｈよりも一回り大きい三角形のストッパー３８を設け、該ストッパー３８のパウチ収納部２１側には円柱状の注出手段３６を、その反対側には貫通孔Ｈを貫通しカバー部３１の外側に突出する押圧ボタン３９を、押圧板３７と一体に形成している。また、押圧板３７の両側には、スプリングＳ、Ｓを収納固定するスプリング支持ケースＣ、Ｃが配置され、押圧板３７とカバー部３１はスプリングＳ、Ｓにより連結されている〔図７（Ｃ）参照〕。パウチホルダ３０の他の構成は、図４〜図６のパウチホルダ２０と同様である。
【００２２】
このパウチホルダ３０では、パウチ収納部２１内にパウチを収納した後にカバー部３１を回動させてパウチ収納部２１を覆い、図７（Ｃ）の矢印方向に押圧ボタン３９を押圧すると、スプリングＳ、Ｓが伸びて押圧板３７がパウチ側に移動し、注出手段３６がパウチ収納部２１に設けた注出部押圧手段２６と共働してパウチ１の注出口４上部の注出部を前面及び背面から押圧し、パウチ１の注出口４が開放されて一定量の内容物が注出される。
押圧ボタン３９の押圧を止めると、スプリングＳ、Ｓにより押圧板３７がカバー部３１と接する元の位置に戻り、ストッパー３８によって止められる。
【００２３】
図１０は、本発明のパウチホルダのさらに他の例を示す図であり、図１０の（Ａ）はパウチホルダのカバー部を上方に開いた状態を示す正面図であり、（Ｂ）は（Ａ）のＸＸ線による断面図である。
このパウチホルダ４０は、図４〜図６のパウチホルダ２０において、パウチ収納部２１の上端部に回動可能にカバー部３１の一端を連結したものである。また、パウチ支持板２２の下辺には側板２３を立設せず、パウチ収納部２１をパウチ支持板２２の上辺及び左右両側辺に３枚の側板２３を立設することによって下辺が開放された箱状に形成し、カバー部３１を矢印方向に回動してパウチ収納部２１を覆った際に、パウチ収納部２１内に収納したパウチ１の注出口４が開放された下辺部から露出するように構成している。パウチホルダ３０の他の構成は、図４〜図６のパウチホルダ２０と同様である。
【００２４】
上記の各例では、カバー部３１をパウチ収納部２１の上端部又は下端部に縦方向に回動可能に連結したが、カバー部３１をパウチ収納部２１の左右いずれかの側端部に横方向に回動可能に連結することもできる。また、パウチ収納部２１及びカバー部３１を別体に構成し、着脱自在に嵌合させるようにしてもよい。また、カバー部３１にパウチ本体押圧手段３２を設けずに、パウチホルダを構成することもできる。
カバー部３１をパウチ収納部２１に回動可能に連結するには、ピンによる軸支、蝶番、或いはプラスチック部材等を薄肉化したヒンジ等、通常の軸支手段を採用することができる。
【００２５】
本発明のパウチホルダのパウチ収納部或いはカバー部を構成する材料としては特に制限はなく、プラスチック、木材、紙、金属、或いはこれらの複合材料等、必要な強度、剛性、パウチホルダとして耐久性等を備えた材料であれば、いずれも使用することができる。好ましい材料としては、ポリエチレン、ポリプロピレン等のポリオレフィン系樹脂、アクリル系樹脂、ポリアミド系樹脂、ポリエチレンテレフタレート等のポリエステル系樹脂、ポリカーボネート系樹脂等の、通常容器類に使用される熱可塑性プラスチック類が挙げられる。本発明のパウチホルダの少なくともカバー部を、アクリル系樹脂、ポリオレフィン系樹脂、ポリカーボネート系樹脂等の透明性を有するプラスチック材料により構成した場合には、パウチホルダ内に収納したプラスチックパウチの内容物の状態を、容易に確認することが可能となるので好ましい。
パウチ収納部、或いはカバー部をプラスチック材料により構成する場合には、射出成形、押出し成形、真空圧空成形等、通常の成形方法により容易に目的とする成形物を製造することが可能となる。
【００２６】
本発明のパウチホルダのサイズや形状は、ホルダに収納するプラスチックパウチのサイズや形状に合わせて適宜選択することができる。パウチホルダに収納するプラスチックパウチのサイズは任意であるが、通常は内容量が１００〜１０００ｍL、好ましくは２００〜５００ｍL程度のものを使用する。
また、パウチ収納部２１に設ける注出部押圧手段２６、カバー部に設ける抽出手段３６等の他の部材の材質、形状やサイズ等も適宜選択することができる。
【００２７】
本発明のパウチホルダは、パウチホルダの中央部に設けたパウチ本体押圧手段と、パウチホルダの下方両側部に設けたパウチの側部を押圧する側部押圧手段を併用することを特徴とするものである。そして、パウチ本体押圧手段によってホルダ内に収納されたパウチの内容物に絶えず一定の圧力を加えるとともに、側部押圧手段によって上記したパウチの側方シール部、或いはその近傍を適度に押圧することにより、パウチの内容物の減少にともなうパウチ下方部に設けた定量室の前方への反り上がりによる内容物の注出時の押圧位置の変化、パウチを構成するフイルムの張力の低下によるパウチの変形に起因する定量室の膨らみの低下を防止する作用を有する。したがって、内容物が減少した場合にも、内容物がスムーズに定量室内に流入するのを可能とし、パウチの内容物の注出開始時から注出終了時迄、毎回一定量の内容物を安定して注出することが可能となる。
パウチホルダにパウチ本体押圧手段及び側部押圧手段を組合わせて設けない場合には、内容物の注出に伴うパウチ下端部の前方への反り上がりや、パウチの押圧位置が変化して注出量が不安定になるのを防止することが困難となる。また、パウチの内容物の注出開始時から注出終了時迄、毎回一定量の内容物を安定して注出することが困難となる。
【図面の簡単な説明】
【００２８】
【図１】自己閉鎖性注出口を有するパウチの１例を示す図である。
【図２】図１のパウチに内容物を充填し、注出口が閉じた状態を示す部分拡大模式図である。
【図３】図１のパウチに内容物を充填し、注出口が開いた状態を示す部分拡大模式図である。
【図４】本発明のパウチホルダの１例を示す図で、カバー部を下方に開いた状態を示す図である。
【図５】図４のパウチホルダにパウチを収納せずにホルダを閉じた状態を示す図である。
【図６】図４のパウチホルダにパウチを収納してホルダを閉じた状態を示す図である。
【図７】本発明のパウチホルダの他の例を示す図で、カバー部を下方に開いた状態を示す図である。
【図８】図７のパウチホルダにパウチを収納せずにホルダを閉じた状態を示す図である。
【図９】図７のパウチホルダにパウチを収納してホルダを閉じた状態を示す図である。
【図１０】本発明のパウチホルダの他の例を示す図である。
【符号の説明】
【００２９】
１                パウチ
２                液体収納室
３                定量室
４                注出口
５                弁
６，７            ヒートシール部
１０              未シール部
１１，１２        側壁部材
２０，３０，４０  パウチホルダ
２１              パウチ収納部
２２              支持板
２３              側板
２４              ピン
２５，３５        側部押圧手段
２６              注出部押圧手段
２７              開口
３１              カバー部
３２              パウチ本体押圧手段
３６              注出手段                            
３７              押圧板
３８              ストッパー
３９              押圧ボタン
Ｈ                貫通孔
Ｓ                スプリング
Ｃ                スプリング支持ケース
【図１】
2007161339.tif 000003
【図２】
2007161339.tif 000004
【図３】
2007161339.tif 000005
【図４】
2007161339.tif 000006
【図５】
2007161339.tif 000007
【図６】
2007161339.tif 000008
【図７】
2007161339.tif 000009
【図８】
2007161339.tif 000010
【図９】
2007161339.tif 000011
【図１０】
2007161339.tif 000012